【手続補正書】
【提出日】平成18年8月30日(2006.8.30)
【手続補正１】
【補正対象書類名】特許請求の範囲
【補正対象項目名】請求項２
【補正方法】変更
【補正の内容】
【請求項２】
前記ロック部材は、前記ハウジング本体に固設されたブラケットに支持され、スプリングを介して前記ハウジング本体の前記挿通孔から離れる方向に付勢されたピン部材を有してなる請求項１に記載の粉砕機。
【手続補正２】
【補正対象書類名】明細書
【補正対象項目名】０００９
【補正方法】変更
【補正の内容】
【０００９】
ロック部材には、一般的には同特許文献１にも記載されているようにＬ字状やＩ字状など単純な形状のピンが使われている。こうした一般的なピン形状のロック部材を使用するかぎり、ロック部材の抜き忘れを完全に払拭することはできない。更にまた、係る単純な瓶形状をもつロック部材によれば、ハウジングの開閉部が閉じられた状態のときも、ハウジング本体に形成されたロック部材の挿通孔は外部に露呈している。従って、粉砕機の作業停止時にあって、前記閉鎖部が閉じられた状態のときに、誤ってロック部材を前記挿通孔に挿通して、停止している回転円板の脱着孔にその先端を嵌着させてしまう懸念もある。この状態にて、エンジンを始動させ回転円板を回転させようとすれば、前記特許文献にも記載されているような、エンジンやクラッチの焼損やロック部材の折損、或いは回転円板自体の損傷を招きかねない。
【手続補正３】
【補正対象書類名】明細書
【補正対象項目名】００１２
【補正方法】変更
【補正の内容】
【００１２】
また、請求項２に係る発明のように、前記ロック部材を、前記ハウジング本体に固設されたブラケットに支持して、スプリングを介して前記ハウジング本体の前記挿通孔から離れる方向に付勢されたピン部材により構成することにより、上記目的はより効果的に達成される。
【手続補正４】
【補正対象書類名】明細書
【補正対象項目名】００１５
【補正方法】変更
【補正の内容】
【００１５】
請求項２に係る発明は、ロック部材を、ブラケットにより支持するとともにスプリングにより常にハウジング本体の挿通孔から離れる方向に付勢しているため、ロック操作時においてロック部材と挿入孔との位置決めを不要にすると同時にロック操作を容易にする。また、ロック部材をスプリングにより常にハウジング本体の挿通孔から離れる方向に付勢しているにも関わらず、上記閉塞部材の有無によって、ロック部材が挿入孔に挿入されるかどうかが決まるため、回転円板に対するロック操作とロック解除操作とに誤りが生じない。
【手続補正５】
【補正対象書類名】明細書
【補正対象項目名】００２０
【補正方法】変更
【補正の内容】
【００２０】
図３及び図４は、本発明の特徴部である上記粉砕部１４の構成を概略で示している。これらの図によれば、円盤状のハウジング１４１の内部に粉砕機器と送風機を収容している。内部に収容される粉砕機器も送風機も回転部材から構成されているため、ハウジング１４１は円弧状外周壁１４１ａとその前後に配された前後側壁部１４１ｂ，１４１ｃとから構成される。その前後側壁部１４１ｂ，１４１ｃの中心部には主軸１４３を回転自在に支持する軸受部１４２を有している。前記円弧状外周壁１４１ａの後側半部の内面には、主軸１４３に平行に延びる複数のリブ状突条１４１ｄが主軸１４３を中心として放射状に設けられている。前記ハウジング１４１の後側壁部１４１ｃの左下半部には、上記被粉砕物送込部１３からチッパ部１４４に被粉砕物を送り込むための図示せぬ開口が形成されている。前記主軸１４３には、後部側から順にチッパ部１４４、ハンマ部１４５、送風機１４６が固定支持されている。前記チッパ部１４４は、前記リブ状突条１４１ｄの主軸側端面と干渉しない直径をもつ回転円板１４４ａと、前記主軸１４３を挟んで同回転円板１４４ａの同一直経上に固設された一対の鉋刃１４４ｂとを有している。また、この回転円板１４４ａには前記各鉋刃１４４ｂの刃先１４４ｂ’に隣接する長穴が表裏を貫通して形成されている。なお、上記リブ状突条１４１ｄは必要に応じて設ければよい。
【手続補正６】
【補正対象書類名】明細書
【補正対象項目名】００２１
【補正方法】変更
【補正の内容】
【００２１】
前記ハンマ部１４５は、送風機１４６の後述する第１円板１４６ａと前記回転円板１４４ａとの間に９０°の位相角をもって平行に架け渡された４本のロッド１４５ａと、各ロッド１４５ａに一端を回転自在に支持された複数枚の短冊状ハンマ１４５ｂとを備えている。図示例によれば、１本のロッド１４５ａにはスペーサ１４５ｃを介して３枚のハンマ１４５ｂが回転自在に支持されている。このハンマ１４５ｂの長さも、その自由端が上記リブ状突条１４１ｄと干渉しない長さに設定されている。かかる構成により、４本の前記ロッド１４５ａは主軸１４３の回転による上記回転円板１４４ａ及び上記第１円板１４６ａの回転とともに、主軸１４３を中心としてその回りを回転すると同時に、各ハンマ１４５ｂは前記ロッド１４５ａを中心に自由回転する。
【手続補正７】
【補正対象書類名】明細書
【補正対象項目名】００２３
【補正方法】変更
【補正の内容】
【００２３】
図示例によれば、上記ハウジング１４１は更に後方から見て円形の略１／４に当たる右上側半部を開閉部１４１−１として、残る略３／４のハウジング本体部１４１−２から分離させている。この開閉部１４１−１の右側下端縁とハウジング本体部１４１−２の左側端縁とがヒンジ結合され、開閉部１４１−１をそのヒンジ部を中心に下方へと回動させることによりハウジング１４１の右上部１／４が開放され、その状態から開閉部１４１−１を上方に回動させて、その対応する分割縁同士を突き合わせることにより、ハウジング１４１を密閉する。この密閉時には、開閉部１４１−１及びハウジング本体部１４１−２の各分割縁部の上端縁同士と後側縁同士とが、それぞれ第１及び第２密閉固定手段１４７，１４８をもって密閉固定される。
【手続補正８】
【補正対象書類名】明細書
【補正対象項目名】００２４
【補正方法】変更
【補正の内容】
【００２４】
図示例によれば、前記第１及び第２密閉固定手段１４７，１４８は、密閉固定手段としての基本構造は同じであり、ハウジング本体部１４１−２側に配される第１密閉固定手段１４７は２枚のピン支持板１４７ａを平行に配して、その間にピン１４７ｂを挿通固定している。２枚のピン支持板１４７ａの間のピン部分で先端部にネジの切られたボルト部材１４７ｃの基端部を回動自在に支持している。一方、ハウジング本体部１４１−２側に配される第２密閉固定手段１４８は、前記第１密閉固定手段１４７に対向して開閉部１４１−１に固定されたＵ字型係着部材１４８ａから構成されている。このＵ字型係着部材１４８ａ中央上縁には前記ボルト部材１４７ｃが嵌着する凹溝１４８ｂが形成されている。開閉部１４１−１とハウジング本体部１４１−２とを突き合わせたのち、第１及び第２密閉固定手段１４７，１４８をもって密閉固定するときは、前記ボルト部材１４７ｃを回動させて前記凹溝１４８ｂに嵌着させたのち、ボルト部材１４７ｃの先端ネジ部にナットを螺合し、締結固定することにより行われる。開閉部１４１−１を開くときは、ナットを緩めたのちボルト部材１４７ｃを前記凹溝１４８ｂから外すことにより行う。
【手続補正９】
【補正対象書類名】明細書
【補正対象項目名】００２６
【補正方法】変更
【補正の内容】
【００２６】
このロック機構を図３〜図７に示している。ロック機構は一般的にピン状のロック部材１７と、上記開閉部１４１−１の下端縁を水平に載置支持するハウジング本体部１４１−２の水平端縁に近い位置に形成され前記ロック部材１７を挿通するための挿通孔１４１−２ａと、チッパ部１４４の回転円板１４４ａに形成され前記ロック部材１７の先端を嵌着させる脱着孔１４４ｃとを有している。本実施例によるロック部材１７は、図３及び図７に示すように長ピン部分１７ａと短ピン部分１７ｂとからなるＬ字状のピン部材からなり、その長ピン部分１７ａの先端をハウジング本体部１４１−２に形成された前記挿通孔１４１−２ａに向けて進退するように、同ハウジング本体部１４１−２に固設されたブラケット１８により支持されている。このブラケット１８は前記長ピン部分１７ａの進退方向に平行に延びる平板部１８ａと、同平板部１８ａの一側面に固設され、前記長ピン部分１７ａを前記挿通孔１４１−２ａに向けて摺接案内するコ字型案内部１８ｂとから構成されている。長ピン部分１７ａを案内するため、前記コ字型案内部１８ｂの前後壁部分にはそれぞれに長ピン部分１７ａを挿通案内する案内孔１８ｂ’が形成されている。
【手続補正１０】
【補正対象書類名】明細書
【補正対象項目名】００２７
【補正方法】変更
【補正の内容】
【００２７】
また、常にはロック部材１７の前記長ピン部分１７ａの先端が、ハウジング本体部１４１−２に形成された前記挿通孔１４１−２ａに達しないように、前記コ字型案内部１８ｂの前後壁部分の間に圧縮スプリング１９が介装されている。この圧縮スプリング１９は、前記挿通孔１４１−２ａから離れる側の一端を長ピン部分１７ａに固定し、他端をコ字型案内部１８ｂの後壁部分にて支持させている。この圧縮スプリング１９の介装により、常には長ピン部分１７ａの先端が前記挿通孔１４１−２ａに達せず、ハウジング本体部１４１−２から離れる方向に付勢されている。前記挿通孔１４１−２ａを介して回転円板１４４ａの脱着孔１４４ｃに嵌着させるときは、圧縮スプリング１９の付勢に抗して長ピン部分１７ａの先端を前記挿通孔１４１−２ａに押し込むようにする。
【手続補正１１】
【補正対象書類名】明細書
【補正対象項目名】００２８
【補正方法】変更
【補正の内容】
【００２８】
本実施例によれば、ロック部材１７の先端を脱着孔１４４ｃに嵌着した状態に安定して維持するため、上記ブラケット１８の平板部１８ａの上面に上記ロック部材１７の短ピン部分１７ｂを長ピン部分１７ａの軸心を中心に回動させることにより係脱される２つの係脱溝１８ａ’、１８ａ″が形成されている。この第１の係脱溝１８ａ’はロック部材１７の先端が回転円板１４４ａの脱着孔１４４ｃに嵌着した状態を維持させるための係脱溝であり、図示例では係着を確実にするため手前に直角に曲がる鉤溝形態とされている。第２の係脱溝１８ａ″はロック部材１７の先端が前記挿通孔１４１−２ａから外れて外側に後退した状態を維持する位置に形成され、単なるＵ字溝である。
【手続補正１２】
【補正対象書類名】明細書
【補正対象項目名】００２９
【補正方法】変更
【補正の内容】
【００２９】
こうした構成を備えたロック機構を使って、粉砕部の点検時や修理時にハウジング１４１に収容されている回転機器の回転がロック状態にされ、或いは回転機器の回転駆動時にロック状態を解除する。そのロック操作及びロック解除操作は既述したとおりであるが、上記ロック機構であれば、例えばハウジング１４１の内部の回転機器を駆動回転させる直前に不注意によりロック操作を行うおそれがある。すなわち、ロック操作は上記開閉部１４１−１を開いた状態で内部の回転機器が停止状態にある時に行われるのが一般的である。ところが、ロック部材１７の先端を挿通する挿通孔１４１−２ａは開閉部１４１−１とは関係のないハウジング本体部１４１−２に形成されている。従って、開閉部１４１−１が閉められたときでも、ロック部材１７を前記挿通孔１４１−２ａに挿通させることが可能であることによる。また、反対に開閉部１４１−１が閉められたのちにロック部材１７を前記挿通孔１４１−２ａから抜くことを忘れることもある。この状態で、ハウジング１４１内の回転円板１４４ａを駆動回転させれば、回転円板１４４ａだけでなく周辺機器をも損傷させかねない。
【手続補正１３】
【補正対象書類名】明細書
【補正対象項目名】００３１
【補正方法】変更
【補正の内容】
【００３１】
こうして、開閉部１４１−１に閉塞部材２０を設けることにより、例えば開閉部１４１−１を閉じる前に前記挿通孔１４１−２ａを通されて回転円板１４４ａの脱着孔１４４ｃに先端が嵌着されたロック部材１７を抜き取るのを忘れている場合に、開閉部１４１−１を閉じると、同開閉部１４１−１に設けられた閉塞部材２０の下端縁が挿通孔１４１−２ａに挿通されロック部材１７に突き当たり、それ以上は開閉部１４１−１を閉じることができず、開閉部１４１−１によりハウジング１４１が密閉固定もできないため、ロック部材１７の抜き忘れに気が付くことから、この状態で回転円板１４４ａの駆動回転をさせることがない。また、例えば開閉部１４１−１が上記閉塞部材２０によって閉塞された状態にあるときは、仮にロック部材１７がブラケット１８の第２の係脱溝１８ａ″から外れて、スプリング１９の弾力により、その先端が挿通孔１４１−２ａに向けて移動したとしても、途中で閉塞部材２０によって、それ以上の移動が阻止され挿通孔１４１−２ａに達することはなく、必然的に回転円板１４４ａの駆動回転にも支障を来すことがない。
【手続補正１４】
【補正対象書類名】図面
【補正対象項目名】図３
【補正方法】変更
【補正の内容】
【図３】
2005111840.tif 000001